(57)【要約】生体組織の薄切片から遺伝子検査にも十分な量の細胞を簡便な構成と操作で採取する。所定の分割線によって複数の小片に分割可能に設けられ、生体組織の薄切片（Ａ）を貼り付け可能な平坦な表面を有する基板（４）と、該基板（４）を剥離可能に接着するとともに、表面に沿う方向に伸展可能なシート状の伸展部材（５）と、伸展部材（５）を、少なくとも基板（４）が接着されている領域において表面に沿う方向に伸展させる伸展手段（６）と、分割された小片を伸展部材（５）から剥離して採取する採取手段とを備える細胞分取装置を提供する。
2011149009.tif 000002
【特許請求の範囲】
【請求項１】
所定の分割線によって複数の小片に分割可能に設けられ、生体組織の薄切片を貼り付け可能な平坦な表面を有する基板と、
該基板を剥離可能に接着するとともに、前記表面に沿う方向に伸展可能なシート状の伸展部材と、
前記伸展部材を、少なくとも前記基板が接着されている領域において前記表面に沿う方向に伸展させる伸展手段と、
分割された前記小片を前記伸展部材から剥離して採取する採取手段とを備える細胞分取装置。
【請求項２】
前記伸展部材が、その表面に粘着性を有する請求項１に記載の細胞分取装置。
【請求項３】
前記基板は、複数の分離された小片が、互いに隣接して配列した状態で前記伸展部材に接着されてなる請求項１または請求項２に記載の細胞分取装置。
【請求項４】
前記分割線が、前記基板の表面に形成された溝により構成されている請求項１または請求項２に記載の細胞分取装置。
【請求項５】
前記伸展部材が、光学的に透明または半透明な材料からなる請求項１から請求項４のいずれかに記載の細胞分取装置。
【請求項６】
前記小片が、０．０５〜０．５ｍｍの厚さ寸法と０．０５〜５．０ｍｍの辺寸法とを有する直方体状である請求項１から請求項５のいずれかに記載の細胞分取装置。
【請求項７】
前記伸展手段が、
前記伸展部材の、前記基板が接着されている領域の周辺部位を所定の形状に固定する固定部材と、
該固定部材により固定された前記伸展部材の前記領域を、前記基板が接着されている面と反対の面の側から押圧する押圧部材とを備える請求項１から請求項６のいずれかに記載の細胞分取装置。
【請求項８】
前記採取手段が、前記伸展部材の前記小片が接着されている位置を、該小片が接着されている面とは反対側の面から突く針部材を備える請求項１から請求項７のいずれかに記載の細胞分取装置。
【請求項９】
前記伸展部材の前記領域を伸展した状態に保持する保持部材を備える請求項１から請求項８のいずれかに記載の細胞分取装置。
【請求項１０】
前記保持部材が、前記伸展部材の前記基板が接着されている側の面を下向きに保持可能である請求項９に記載の細胞分取装置。
【請求項１１】
前記保持部材により保持された前記伸展部材の、前記基板が接着されている面の側に配置され、内部が陰圧に吸引される吸収部材を備える請求項９または請求項１０に記載の細胞分取装置。
【請求項１２】
前記小片が、０．００１〜０．５ｍｍの直径寸法を有する磁性粒子である請求項３に記載の細胞分取装置。
【請求項１３】
前記採取手段が、前記小片の寸法と略同一の大きさの空間に、前記磁性粒子を引き寄せる磁力を発生させる磁石を有する請求項１２に記載の細胞分取装置。
【請求項１４】
請求項１から請求項１３のいずれかに記載の細胞分取装置と、
前記伸展部材に接着された前記基板上の前記薄切片を観察する観察装置とを備える細胞分取システム。
【請求項１５】
所定の分割線によって複数の小片に分割可能な基板の表面上に、前記分割線をまたいで生体組織の薄切片を貼付する貼付ステップと、
前記薄切片が貼付された前記基板を前記表面に沿う方向に引っ張ることにより、前記基板および前記生体組織の薄切片を前記分割線で分割させる分割ステップと、
該分割ステップにおいて分割された前記薄切片の前記小片を採取する採取ステップとを備える細胞分取方法。
【発明の詳細な説明】
【技術分野】
【０００１】
本発明は、細胞分取装置、細胞分取システムおよび細胞分取方法に関するものである。
【背景技術】
【０００２】
従来、病理診断などに用いられる組織の薄切片から、数十ミクロン程度の微小領域を切り取って採取するための技術としてＬＭＤ（ｌａｓｅｒ  Ｍｉｃｒｏｄｉｓｓｅｃｔｉｏｎ）法が知られている。ＬＭＤ法は、組織切片の採取すべき微小領域にＵＶレーザを照射することにより、薄切片から微小領域を切り取っている。
【先行技術文献】
【非特許文献】
【０００３】
【非特許文献１】Ｌｅｉｃａ  ＭＩＣＲＯＳＹＳＴＥＭＳ、"Ｌｅｉｃａ  ＬＭＤ  ７０００"、［ｏｎｌｉｎｅ］、［平成２２年４月２３日検索］、インターネット＜URL：http://www.leica-microsystems.co.jp/Website/Products.nsf/(ALLIDs)/9482D2B75AA53E5F49257555001FB123＞
【発明の概要】
【発明が解決しようとする課題】
【０００４】
しかしながら、薄切片から癌細胞などの特定の細胞が存在する領域を切り取り、切り取った微小な断片に含まれる細胞から抽出した遺伝子を用いて遺伝子検査を実施したい場合、ＬＭＤ法によって採取された断片に含まれる細胞数では少なすぎて検査に必要な量の遺伝子を抽出することができない。したがって、多数の薄切片をマイクロダイセクションして十分な数の細胞を収集しなければならず、１度の遺伝子検査を行うのに膨大な労力および時間を要するという問題がある。【０００５】
一方、切り取る断片の面積を大きくする、または、生体組織から切き出す薄切片を厚くすることが考えられる。しかしながら、ＬＭＤ法で切り取る断片を大きくしようした場合、レーザを走査可能な領域を大きくしたり、レーザを走査して切り取った断片をレーザの圧力で吹き飛ばすためにレーザの出力を高くしたりする必要がある。そのために装置の構成が一層大掛かりになり装置の価格も高騰するという不都合がある。また、薄切片を厚くした場合、レーザで薄切片を切断するためにはやはりレーザの出力を高くする必要があるという不都合がある。【０００６】
本発明は、上述した事情に鑑みてなされたものであって、生体組織の薄切片から遺伝子検査にも十分な量の細胞を簡便な構成と操作で採取することができる細胞分取装置、細胞分取システムおよび細胞分取方法を提供することを目的とする。
【課題を解決するための手段】
【０００７】
上記目的を達成するため、本発明は以下の手段を提供する。
本発明の第１の態様は、所定の分割線によって複数の小片に分割可能に設けられ、生体組織の薄切片を貼り付け可能な平坦な表面を有する基板と、該基板を剥離可能に接着するとともに、前記表面に沿う方向に伸展可能なシート状の伸展部材と、前記伸展部材を、少なくとも前記基板が接着されている領域において前記表面に沿う方向に伸展させる伸展手段と、分割された前記小片を前記伸展部材から剥離して採取する採取手段とを備える細胞分取装置である。【０００８】
前記第１の態様によれば、生体組織の薄切片が貼り付けられた基板を伸展部材上に接着した状態で、伸展手段により伸展部材を伸展させることにより、基板上に貼り付けられた薄切片が基板とともに所定の分割線によって分割される。したがって、分割された複数の小片の中から所望の細胞を含む薄切片の断片が付着した小片を採取手段によって採取することにより、簡便な構成と操作のみで薄切片から細胞を採取することができる。
この場合に、薄切片を厚くし、または、小片を平面方向に大きくすることにより、各小片に付着した細胞の量を増やし、１個または数個の小片を採取するだけで遺伝子検査にも十分な量の細胞を容易に採取することができる。【０００９】
前記第１の態様においては、前記伸展部材が、その表面に粘着性を有していてもよい。
このようにすることで、基板を容易に伸展部材上に接着することができる。
また、前記第１の態様においては、前記基板は、複数の分離された小片が、互いに隣接して配列した状態で前記伸展部材に接着されてなっていてもよい。
このようにすることで、伸展部材を伸展させたときに基板を容易にかつ確実に小片に分割することができる。【００１０】
また、前記第１の態様においては、前記分割線が、前記基板の表面に形成された溝により構成されていてもよい。
このようにすることで、伸展部材を伸展させたときに基板を溝の位置において容易に分割することができる。【００１１】
また、前記第１の態様においては、前記伸展部材が、光学的に透明または半透明な材料からなっていてもよい。
このようにすることで、伸展部材の透過光像を光学顕微鏡で観察したときに伸展部材上の小片の位置を確認することができる。
また、前記第１の態様においては、前記小片が、０．０５〜０．５ｍｍの厚さ寸法と０．０５〜５．０ｍｍの辺寸法とを有する直方体状であってもよい。
このようにすることで、薄切片から所望の領域を十分に細かい精度で選択して採取しつつ、各小片に十分な量の細胞を付着させることができる。【００１２】
また、前記第１の態様においては、前記伸展手段が、前記伸展部材の、前記基板が接着されている領域の周辺部位を所定の形状に固定する固定部材と、該固定部材により固定された前記伸展部材の前記領域を、前記基板が接着されている面とは反対の面の側から押圧する押圧部材とを備えていてもよい。
このようにすることで、伸展部材を簡便な構成と操作のみで伸展させることができる。【００１３】
また、前記第１の態様においては、前記採取手段が、前記伸展部材の前記小片が接着されている位置を、該小片が接着されている面と反対側の面から突く針部材を備えていてもよい。
このようにすることで、複数の小片の中から特定の小片だけを容易に伸展部材から剥離させて採取することができる。【００１４】
また、前記第１の態様においては、前記伸展部材の前記領域を伸展した状態に保持する保持部材を備えている構成であってもよい。
このようにすることで、伸展部材を伸展させて各小片同士の間に間隔が空いた状態に保持し、採取手段による小片の採取をより容易にすることができる。【００１５】
また、上記構成においては、前記保持部材が、前記伸展部材の前記基板が接着されている側の面を下向きに保持可能であってもよい。
このようにすることで、保持部材により伸展部材を、基板を下に向けて保持した状態で小片を剥離させることにより、小片を自重により落下させて容易に回収することができる。【００１６】
また、前記保持部材を備える構成においては、前記保持部材により保持された前記伸展部材の、前記基板が接着されている面の側に配置され、内部が陰圧に吸引される吸引部材を備えていてもよい。
このようにすることで、吸引部材を採取すべき小片に接近させるだけで容易に該小片を吸引部材内に回収することができる。【００１７】
また、前記第１の態様においては、前記小片が、０．００１〜０．５ｍｍの直径寸法を有する磁性粒子である構成であってもよい。
このようにすることで、例えば、回収した小片を溶液中で処理する際に磁力を利用して溶液から分離するなど、処理を効率化することができる。
また、上記構成においては、前記採取手段が、前記小片の寸法と略同一の大きさの空間に、前記磁性粒子を引き寄せる磁力を発生させる磁石を有していることが好ましい。
このようにすることで、磁石を所望の小片に接近させることにより、該小片を磁石に捕捉して容易に伸展部材から採取することができる。【００１８】
また、本発明の第２の態様は、上記いずれかに記載の細胞分取装置と、前記伸展部材に接着された前記基板上の前記薄切片を観察する観察装置とを備える細胞分取システムである。
前記第２の態様によれば、基板上に貼付された薄切片や分割後に形成された小片などを観察装置によって観察することにより、採取すべき小片の選択や、選択した小片の採取をより容易にかつより正確に行なうことができる。【００１９】
また、本発明の第３の態様は、所定の分割線によって複数の小片に分割可能な基板の表面上に、前記分割線をまたいで生体組織の薄切片を貼付する貼付ステップと、前記薄切片が貼付された前記基板を前記表面に沿う方向に引っ張ることにより、前記基板および前記生体組織の薄切片を前記分割線で分割させる分割ステップと、該分割ステップにおいて分割された前記薄切片の前記小片を採取する採取ステップとを備える細胞分取方法である。【００２０】
前記第３の態様によれば、貼付ステップにおいて薄切片を基板に貼付した後、分割ステップにおいて基板を引っ張ることにより基板とともに該基板上に貼付された薄切片を複数の小片に分割し、分割された複数の小片の中から採取ステップにおいて小片を選択して採取することにより、生体組織の薄切片から遺伝子検査にも十分な量の細胞を簡便な構成と操作で採取することができる。
【発明の効果】
【００２１】
本発明によれば、生体組織の薄切片から遺伝子検査にも十分な量の細胞を簡便な構成と操作で採取することができるという効果を奏する。
【図面の簡単な説明】
【００２２】
【図１】本発明の一実施形態に係る細胞分取システムの全体構成図である。
【図２Ａ】粘着シートに接着されたガラス基板の側面図であり、溝を粘着シート側に向けたときを示している。
【図２Ｂ】粘着シートに接着されたガラス基板の側面図であり、溝を粘着シートと反対側に向けたときを示している。
【図３Ａ】粘着シートに接着したガラス基板を示す図である。
【図３Ｂ】粘着シートの伸展により分割されたガラス基板を示す図である。
【図４】伸展用ステージおよび治具の構成を示す図である。
【図５Ａ】図４の伸展用ステージおよび治具の使用方法を説明する図であり、粘着シートを伸展させる前の状態を示している。
【図５Ｂ】図４の伸展用ステージおよび治具の使用方法を説明する図であり、粘着シートを伸展させた状態を示している。
【図５Ｃ】図４の伸展用ステージおよび治具の使用方法を説明する図であり、粘着シートをグリップリングで保持した状態を示している。
【図６】図１の細胞分取装置および細胞分取システムを使用して薄切片から細胞を採取する手順を説明するフローチャートである。
【図７】基板の変形例を示す図である。
【図８】基板のもう１つの変形例を示す図である。
【図９】図１の細胞分取システムの変形例を示す図である。
【図１０】図１の細胞分取システムのもう１つの変形例を示す図である。
【図１１】図１の細胞分取システムを使用して細胞を採取する手順の変形例を示すフローチャートである。
【図１２】外筒および内筒を用いた粘着シートを伸展させる方法の変形例を示す図であり、外筒に粘着シートを設置した状態を示す図である。
【図１３】図１２の外筒および内筒を用いて粘着シートを伸展させた状態を示す図である。
【図１４】図１２の外筒および内筒を用いて別の方法により粘着シートを伸展させた状態を示す図である。
【図１５Ａ】粘着シートを伸展させる方法のもう１つ変形例を示す図であり、粘着シートの伸展前を示している。
【図１５Ｂ】粘着シートを伸展させる方法のもう１つ変形例を示す図であり、粘着シートの伸展後を示している。
【図１６】グリップリングの変形例を示す図である。
【図１７】本発明の実施例により作成した薄切片の写真であり、分割前の状態を示している。
【図１８】図１７の薄切片の分割後の状態を示す写真である。
【図１９】伸展済みの粘着性シートから小片を分離し、採取する態様の例を示す図である。
【図２０Ａ】伸展済みの粘着性シートから小片を分離し、吸引部材にて小片を採取する態様の例を示す図である。
【図２０Ｂ】伸展済みの粘着性シートから小片を分離し、吸引部材にて小片を採取する態様の例を示す拡大図である。
【図２１Ａ】伸展済みの粘着シートを斜めにして針にて小片を採取する態様を示す図である。
【図２１Ｂ】伸展済みの粘着シートを斜めにして吸引部材にて小片を採取する態様を示す図である。
【発明を実施するための形態】
【００２３】
以下に、本発明の一実施形態に係る細胞分取装置１および細胞分取システム１００について図面を参照して説明する。
本実施形態に係る細胞分取システム１００は、図１に示されるように、光学顕微鏡（観察装置）２と、本実施形態に係る細胞分取装置１とを備えている。
【００２４】
光学顕微鏡２は、正立型である。光学顕微鏡２は、その視野を撮像するＣＣＤカメラなどの撮像装置３がカメラ用ポート２ａに接続されており、撮像装置３によって撮像された映像は図示しないモニタに表示されるようになっている。撮像装置３によって撮像された映像は、イメージプロセッサなどの図示しない映像処理装置によって映像処理が施されてからモニタに表示されてもよい。
【００２５】
細胞分取装置１は、生体組織の薄切片が貼付されるガラス基板（基板）４と、その表面に沿う方向に伸展可能でありガラス基板４が接着される粘着シート（伸展部材）５と、該粘着シート５を伸展させる伸展用ステージ（伸展手段、押圧部材）６と、該伸展用ステージ６で伸展させる際に粘着シート５を保持する治具７と、粘着シート５からガラス基板４の小片４ｂを採取する採取手段８とを備えている。
【００２６】
ガラス基板４は、平坦な表面を有する平板状である。ガラス基板４の表面には、図２Ａおよび図３Ａに示されるように、所定の間隔を空けて格子状の溝（分割線）４ａが形成されている。溝４ａは、例えば、レーザ加工や化学エッチング、ダイシングなどにより形成されてもよく、ガラス切りなどを用いて操作者の手作業により形成されてもよい。
【００２７】
ガラス基板４は、生体組織の薄切片を安定に支持可能な厚さ、例えば、０．０５〜０．５ｍｍが好ましい。溝４ａの間隔は、薄切片から採取すべき断片の大きさによって適宜変更可能であるが、薄切片内から十分に細かい位置精度で所望の領域の断片を採取しつつ、採取した断片に十分な量の細胞が含まれているように、０．０５〜５．０ｍｍが好ましい。ガラス基板４は、その上に貼付された薄切片の透過光像を光学顕微鏡２で観察できるように、光学的に透明なものが用いられる。
【００２８】
また、ガラス基板４は、その表面と薄切片との密着性を向上するために表面にシラン化などの化学処理が施されていてもよく、小片４ｂの採取後に行う検査などの目的に応じて、例えば、核酸やタンパク質などが吸着を防ぐためのコーティング処理などが施されていてもよい。
【００２９】
粘着シート５は、一方の面に接着剤が塗布され、ガラス基板４を十分に堅固にかつ後述する採取手段８により剥離可能に接着可能な粘着性を有している。また、粘着シート５はその表面に沿う方向に伸展可能である。粘着シート５上にガラス基板４を接着した状態で粘着シート５をその表面に沿う方向に伸展させたときに、粘着シート５の伸展に伴ってガラス基板４もその表面に沿う方向に引っ張られ、図３Ｂに示されるように、ガラス基板４が溝４ａの位置で切断されて複数の小片４ｂに分割するようになっている。また、このときに、ガラス基板４の表面上に貼付された薄切片Ａも同時にその表面に沿う方向に引っ張られて溝４ｂに沿って切断される。
【００３０】
粘着シート５は、光学的に透過性または半透過性を有しており、光学顕微鏡２で粘着シート５を観察したときに、該粘着シート５を挟んで光学顕微鏡２の対物レンズと反対側に配置された物体も観察可能になっている。粘着シート５としては、例えば、半導体製造プロセスのダイシング工程においてウエハの一時的な固定に使用されるダイシングテープを好適に用いることができる。
【００３１】
なお、図２Ａには、ガラス基板４が溝４ａを粘着シート５側に向けて粘着シート５に接着されている例を示したが、図２Ｂに示されるように、ガラス基板４が溝４ａを粘着シート５と反対側に向けて該粘着シート５に接着されてもよい。
【００３２】
伸展用ステージ６は、図４に示されるように、略円柱状であり、両端が略平行にかつ平坦に形成されている。伸展用ステージ６は上端側の部分（以下、小径部分という。）６ａが、他の部分（以下、大径部分という。）６ｂよりも小さい径寸法を有するように、側面に段差が形成されている。
【００３３】
治具７は、粘着シート５を広げた状態で貼付可能な下枠（固定部材）９ａと、該下枠９ａに上からかぶせる上枠９ｂと、粘着シート５を伸展した状態に保持するグリップリング１０ａ，１０ｂ（保持部材）とを有している。グリップリング１０ａ，１０ｂは、外リング１０ａと内リング１０ｂとからなり、外リング１０ａの内径寸法と内リング１０ｂの外径寸法とが略同一に形成されている。下枠９ａと上枠９ｂは、略中央部分に板圧方向に貫通した窓９ｃ，９ｄがそれぞれ形成されている。上枠９ｂの窓９ｄの内側にはその内周面に沿って外リング１０ａが嵌めこまれている。下枠９ａの窓９ｃは、小径部分６ａの外径寸法以上の直径を有している。
【００３４】
治具７は次のように使用される。まず、内リング１０ｂを小径部分６ａの外周に沿って嵌める。また、ガラス基板４が接着された粘着シート５を、ガラス基板４を窓９ｃの位置に配置し、ガラス基板４が接着されている側を上方に向けた状態で下枠９ａの下面に接着する。これにより、図５Ａに示されるように、粘着シート５のガラス基板４が接着された領域の周辺が所定の形状に固定される。次に、粘着シート５の窓９ｃと一致している部分を伸展用ステージ６の上端面に押し当てた状態で下枠９ａを下方向に押圧して移動させる。これにより、図５Ｂに示されるように、粘着シート５の窓９ｃと一致している部分が伸展用ステージ６から押圧されて伸展し、粘着シート５の伸展に伴ってガラス基板４が複数の小片４ｂに分割される。
【００３５】
次に、図５Ｃに示されるように、粘着シート５を伸展させたままの状態で上枠９ｂを下枠９ａにかぶせることにより外リング１０ａと内リング１０ｂを嵌める。これにより、粘着シート５の窓９ｃと一致する部分が伸展された状態にグリップリング１０ａ，１０ｂによって保持される。
なお、このようにして粘着シート５を伸展させたときに、該粘着シート５がどの程度伸展したかを知るための目印、例えば、目盛りが粘着シート５に付されていてもよい。
【００３６】
採取手段８は、採取針１１と、該採取針１１を操作するマニピュレータ１２とを備えている。採取針１１の先端部は、小片４ｂと略同一またはそれ以下の直径寸法を有している。マニピュレータ１２は、アーム１２ａの先端に採取針１１を保持している。マニピュレータ１２は、操作者による操作に従ってアーム１２ａを３次元方向に移動させるようになっている。
【００３７】
このように構成された細胞分取装置１および細胞分取システム１００を使用して生体組織の薄切片から所望の細胞を含む断片を採取する方法について、図６を参照して以下に説明する。
本実施形態に係る細胞分取装置１および細胞分取システム１００を使用して生体組織の薄切片から目的の細胞を採取するには、まず、生体組織から採取用薄切片（薄切片）を切り出し（ステップＳ１）、切り出した採取用薄切片をガラス基板４上に貼付する（ステップＳ２、貼付ステップ）。そして、採取用薄切片を光学顕微鏡２で観察して検体画像を取得する（ステップＳ３）。
【００３８】
採取用薄切片の切り出しは、例えば、凍結切片法やパラフィン切片法などにより行われる。採取用薄切片の厚さは、採取した細胞の用途にもよるが、通常の病理標本などに用いられる薄切片の厚さ（約数〜１０μｍ）より厚くてもよく、例えば、５０μｍ程度の厚さで採取用薄切片が切り出される。切り出した採取用薄切片の寸法がガラス基板４の溝４ａの間隔よりも小さいときには、採取用薄切片が溝４ａをまたぐように採取用薄切片をガラス基板４上に貼付する。
【００３９】
また、採取用薄切片とは別に、生体組織の採取用薄切片の切り出し位置と隣接した位置から厚さ数〜１０μｍ程度の染色用薄切片を切り出す。切り出した染色用薄切片は、スライドガラスに貼付した後に、例えば、病理診断用の染色を施しておく（ステップＳ４）。そして、染色済みの染色用薄切片を光学顕微鏡２で観察して染色画像を取得し（ステップＳ５）、取得した染色画像内において所望の細胞が存在している採取すべき領域、例えば、癌細胞に浸食されている領域を決定する（ステップＳ６）。
【００４０】
次に、取得した検体画像と染色画像とを、各画像内の薄切片がぴったり重なり合うように重畳して表示し（ステップＳ７）、染色用薄切片内の決定した採取すべき領域に一致する小片４ｂの位置、例えば、その小片４ｂの列番号と段番号を記録する（ステップＳ８）。
【００４１】
次に、ガラス基板４を粘着シート５に接着する。なお、粘着シート５に予め接着しておいたガラス基板４上に切り出した採取用薄切片を貼付してもよい。次に、粘着シート５を伸展用ステージ６および治具７を使用して伸展させることによりガラス基板４を分割する（ステップＳ９、分割ステップ）。このときに、ガラス基板４上に貼付された採取用薄切片もガラス基板４とともにその平面方向に引っ張られることにより溝４ａの位置で断片に分割される。
【００４２】
次に、粘着シート５をグリップリング１０ａ，１０ｂによって伸展した状態に保持し、ガラス基板４が接着された側の面が下方を向くように粘着シート５を標本ステージ２ｂ上に設置する。このときに、粘着シート５を、下枠９ａから剥離した状態で標本ステージ２ｂに設置してもよく、下枠９ａとともに標本ステージ２ｂに設置しても良い。
【００４３】
次に、記録しておいた位置の小片４ｂを光学顕微鏡２で観察しながら、その視野内でマニピュレータ１２を操作することより採取針１１を採取すべき小片４ｂの背後に配置し、採取すべき小片４ｂの背面を採取針１１で突くことにより小片４ｂを粘着シート５から剥離させて落下させる（ステップＳ１０、採取ステップ）。このときに、標本ステージ２ｂの下方にチューブラック１３を配置し、小片４ｂの落下位置に予め回収チューブ１３ａを設置しておいてもよい。
以上の手順により、採取用薄切片から所望の細胞が存在する領域の断片を小片４ｂとともに採取することができる。採取された細胞は、例えば、遺伝子検査などに用いられる。
【００４４】
このように、本実施形態によれば、簡便な構成と操作のみで薄切片から所望の細胞が存在する領域を選択的に採取することができるという利点がある。また、ＵＶレーザ光源のような高価な構成が不要であるので、製造コストを安価に抑えることができるという利点がある。また、ＬＭＤと異なり薄切片を力学的に切断しているので、比較的厚い薄切片でも容易に切断可能であるとともに、溝４ａの間隔を調節するだけで小片４ｂの大きさを容易に拡大することができる。したがって、従来十分な細胞数を回収するために複数の薄切片から断片を採取する必要があり多大な労力を要していた作業が、１つまたは少数の小片４ｂを採取するだけで済むので、作業に要する労力と時間とを大幅に削減することができるという利点がある。
【００４５】
上記実施形態においては、薄切片を貼付する基板として、格子状の溝４ａが形成されたガラス基板４を用いることとしたが、これに代えて、ガラスの小片４ｂが平面方向に配列されてなるガラス基板４を使用してもよい。
この場合、ガラス基板４の形状を保持するために、図７に示されるように、予め粘着シート５上にガラスの小片４ｂが配列された状態で接着されている。このようにすることで、粘着シート５を伸展させたときに、小片４ｂ同士の境界（分割線）においてより容易にかつ確実にガラス基板４を分割することができる。
【００４６】
なお、予め分割された小片を粘着シート５上に配列した状態にするには、一例として以下のような方法を用いることができる。
粘着シート５上にガラス基板４を接着し、該ガラス基板４にガラス切りで格子状に傷をつける。そして、ガラス基板４を傷の位置で徒手的に割ることにより、容易に図７のように小片４ｂが粘着シート上５に配列した状態とすることができる。このときに、ガラス基板４が汚れないように、ガラス基板４表面をフィルムなどで保護しながら行うことが好ましい。
【００４７】
また、上記実施形態で採用した基板の構成は一例であり、この構成に限定されるものではない。
例えば、基板の素材は、ガラスの他に樹脂などでもよい。小片４ｂの形状としては、粘着シート５の表面に密に配列可能な形状であればよく、例えば、正六角形や三角形でもよい。また、図８に示されるように、小片として球状のガラスビーズや樹脂ビーズ４ｃを用い、これらを粘着シート５上に好ましくは単層で配列させることにより基板４’が構成されていてもよい。
【００４８】
また、基板として磁性を有するものを用いても良い。例えば、直径が１〜５００μｍの磁性粒子を粘着シート５の表面に密に配列させてもよいし、ステンレスなどの金属板を基板として使用してもよい。基板として金属のような可視光を透過させないものを用いた場合には、光学顕微鏡で粘着シート５の透過光像を観察したときに、小片４ｂが小さくてもよりはっきりと視認することができる。
この場合、採取手段８として、磁石を使用してもよい。例えば、採取針１１の先端に、磁性粒子と略同一の大きさの磁石を設ける。そして、採取針１１の先端を、磁性粒子に粘着シート５と反対側から近づけることにより、所望の磁性粒子を磁力によって採取針１１の先端に捕捉して粘着シート５から採取することができる。
【００４９】
また、上記実施形態においては、正立型の光学顕微鏡２を使用し、伸展用ステージ６が光学顕微鏡２と別体で設けられている構成を採用したが、細胞分取システム１００の構成はこれに限定されるものではない。例えば、光学顕微鏡２として倒立型を使用してもよく、伸展用ステージ６を光学顕微鏡２に搭載してもよい。
【００５０】
図９は、倒立型の光学顕微鏡２に、伸展用ステージ６と治具７とを設けた構成の一例を示している。標本ステージ２ｂは、光学顕微鏡２の観察位置と、光学顕微鏡２の本体から外れた位置との間でガイドレール２ｃに沿って水平方向にスライド可能に設けられている。このような構成においては、標本ステージを観察位置に配置した状態で治具７を下方に移動させることにより伸展用ステージ６上で粘着シート５を伸展させる。その後、標本ステージ２ｂをスライドさせ、光学顕微鏡２と別体で設けられた採取手段８を使用して小片４ｂが採取される。
【００５１】
図１０は、正立型の光学顕微鏡２に、伸展用ステージ６、治具７および採取手段８を設けた構成の一例を示している。伸展用ステージ６は、標本ステージ２ｂの上方に対物レンズと一体で上下方向に移動可能に設けられ、治具７によって標本ステージ２ｂの上方に保持された粘着シート５に対して伸展用ステージ６を上方から押し当てるようになっている。この構成においては、標本ステージ２ｂ上で、粘着シート５の伸展から小片４ｂの採取までの一連の作業を行うことができる。
【００５２】
また、上記実施形態においては、採取用薄切片の検体画像と染色用薄切片の染色画像とを照らし合わせることにより採取すべき小片４ｂを決定することとしたが、これに代えて、採取用薄切片の画像から採取すべき小片４ｂを決定してもよい。
【００５３】
比較的厚い採取用薄切片の場合、細胞が厚さ方向に重なっているため、染色を施しても個々の細胞の形状や細胞の分布などを正確に像から認識することが難しい。しかし、そのような染色像や未染色の薄切片の像からでも、大まかな組織形状や細胞の分布に基づいて採取すべき領域を判別可能な場合には、例えば、図１１に示されるように、光学顕微鏡２で採取用薄切片を観察しながらその場で採取すべき小片４ｂを選択し（ステップＳ１１）、粘着シート５の伸展（ステップＳ９）および小片４ｂの採取（ステップＳ１０）を行ってもよい。このようにすることで、必要に応じて手順をさらに簡略化することができる。
【００５４】
また、上記実施形態においては、略円柱状の伸展用ステージ６を使用して粘着シート５を伸展させることとしたが、粘着シート５を伸展させる方法はこれに限定されるものではない。
例えば、伸展用ステージ６に代えて外筒１４ａおよび該外筒１４ａ内に収納可能な内筒１４ｂを使用してもよい。
【００５５】
この場合、図１２に示されるように、粘着シート５を外筒１４ａの上端面に被せて外筒１４ａの側面に固定する。符号１５は、粘着シート５を外筒１４ａの側面に固定するために固定部材を示している。次に、図１３に示されるように、内筒１４ｂを外筒１４ａの内部から相対的に突出させる、または、図１４に示されるように、内筒１４ｂを外筒１４ａの外部から該外筒１４ａ内に相対的に押し込むことにより、粘着シート５を各方向に略均一に伸展させることができる。
【００５６】
また、図１５Ａに示されるように、ホルダ１６によりガラス基板４が接着された領域を覗いた位置において粘着シート５を一定の形状に保持し、図１５Ｂに示されるように、ガラス基板４が接着された領域を伸展用ステージ６に押し当てることにより粘着シート５を伸展させてもよい。
【００５７】
また、グリップリングとして、磁力によって互いに密着状態に維持できるものを用いてもよい。例えば、図１６に示されるように、グリップリング１０ｃ，１０ｄは、同一の径寸法を有する、磁石からなる上リング１０ｃとステンレスなどの金属からなる下リング１０ｄとからなり、上リング１０ｃと下枠１０ｄとの間に粘着シート５を伸展させた状態で挟んで両リング１０ｃ，１０ｄを互いに磁力で密着させることによっても、粘着シート５を伸展した状態に保持することができる。両方のリング１０ｃ，１０ｄが、互いに引力を発生させる磁石からなっていてもよい。
【００５８】
また、上記実施形態においては、採取針１１で小片４ｂを背後から突くことにより該小片４ｂを粘着シート５から剥離させて回収することとしたが、これに代えて、内部が陰圧に吸引可能な吸引部材を使用してもよい。このようにしても、吸引部材を採取すべき小片４ｂに粘着シート５と反対側から近づけることにより、小片４ｂを粘着シート５から剥離させて吸引部材内に回収することができる。
【００５９】
また、粘着シート５として、紫外線が照射されることにより粘着性が失われるものを用いてもよい。
この場合、例えば、光学顕微鏡２に紫外光源（採取手段）を搭載する。そして、紫外光源から放射された紫外線を、対物レンズを介して採取すべき小片４ｂの位置に局所的に照射することにより、小片４ｂを容易に粘着シート５から剥離させて回収することができる。他にも、光ファイバで紫外光を導き、ファイバ端を採取すべき小片４ｂの位置に向けて局所的に照射することによっても、同様の効果を得られる。
【００６０】
＜吸引で小片を採取する態様＞
先端に小片が通過しない大きさの穴が開いた管状の吸引部材により任意の小片を粘着シートから採取してもよい。吸引部材の内部は必要に応じて陰圧にすることができ、先端に小片を吸着し粘着性シート上から移送し採取できる。この管状の吸引部材は複数束ねている形態でもよく、管状の吸引部材の先端に小片が通過しない大きさの穴が伸展後の小片の間隔にあわせた配置で複数開けられていてもよい。このような部材を使えば複数の小片を同時に採取することができる。
また、管状吸引部材の穴の大きさを小片より大きくし、吸引することで小片を管内に回収してもよい。
さらに導電性のある材料で吸引部材を作製し、吸引部材を設置していてもよい。こうすれば小片が帯電しても除電できるため小片の取り扱いが容易になる。
【００６１】
＜伸展済みの粘着性シートからすべて、または一部の小片を分離してから、採取する態様＞
粘着性シートに紫外線感受性の粘着剤を使用すれば、紫外線を照射することで粘着性を下げることができる。このような粘着性シートで粘着性を低下させた状態で、図１９に示されるような集合針部材１７にてすべて、もしくは任意の小片を平板１８上に分離し、平板１８上に分離された小片群から必要な小片を採取してもよい。採取の方法としてはピンセットにより把持し採取してもよく、先に述べた管状吸引部材１９を使い、図２０Ａまたは図２０Ｂに示されるように、吸引により採取してもよい。
【００６２】
＜伸展済みの粘着シートを斜めにして針または吸引部材にて小片を採取する態様＞
伸展済みの粘着シートを鉛直真下に向けず、鉛直線に対して斜めにして小片を落下させて採取してもよい。こうした場合、粘着シートを水平にした時に比べて、小片を観察する観察部２４と落下した小片を回収する容器２３の配置が容易になる。採取の方法としては、図２１Ａに示されるように、伸展済みの粘着シート５裏側から針２１で押圧して落下させた小片を漏斗状案内部材２２を使って採取してもよく、また、先に述べた管状吸引部材１９を使い図２１Ｂに示されるように吸引により採取してもよい。
【００６３】
＜容器の上に漏斗状の部材を配置することにより、小片を回収する態様＞
十分大きな漏斗状の部材を、回収する容器の上に配置してもよい。こうすれば、小さい開口の回収容器でも取りこぼすことなく容易に小片を採取することができる。
【実施例】
【００６４】
次に、上述した実施形態の実施例について説明する。
本実施例では、細胞分取装置により生体組織の薄切片が分割されることを確認するため、以下の実験を行った。【００６５】
生体組織としてブタの結腸を使用し、生体組織から、厚さが５０μｍ、４辺が約１０ｍｍの薄切片を凍結切片法により切り出した。切り出した薄切片を、ダイシングシート（伸展部材）上に角が互いに隣接するように配列して貼付された２枚のカバーガラス上に、該カバーガラスの境界（分割線）をまたぐように貼付した後、薄切片を風乾した。カバーガラスは、各辺寸法が１８ｍｍ、厚さが０．１３〜０．１７ｍｍのものを使用した。【００６６】
次に、ダイシングテープを、略中央部に円状の窓が貫通して形成されている上枠に、薄切片が窓の略中央部分に配置されるように貼り付けた。次に、カバーガラスが貼付されている側の面を上方に向け、窓内に円柱状のステージが配置された状態で、上枠を略水平に保ちながら押し下げることにより、ダイシングテープの窓内に配置されている部分をその平面方向に伸展させた。これにより、２枚のカバーガラスを互いに離間させ、カバーガラス上に貼付されていた薄切片を、カバーガラスの境界において２つの断片に分割した。このようにして薄切片を分割する前と後の薄切片の写真を図１７，図１８に示す。【００６７】
図１７は、ダイシングテープを伸展する前の状態を示している。写真の略中央に縦方向現れている線Ｌが、カバーガラスの境界（分割線）である。
図１８は、ダイシングテープを伸展させた状態を示しており、薄切片がカバーガラスの境界に沿ってきれいに分割されていることが分かる。
以上の実験から、本発明の細胞分取装置および細胞分取システムを用いることにより、比較的厚い薄切片であっても容易にかつ分割線に沿って十分にきれいに分割できることが確認された。
【符号の説明】
【００６８】
１  細胞分取装置
２  光学顕微鏡（観察装置）
２ａ  カメラ用ポート
２ｂ  標本ステージ
３  撮像装置
４  ガラス基板（基盤）
４ａ  溝（分割線）
４ｂ  小片
５  粘着シート（伸展部材）
６  伸展用ステージ（伸展手段、押圧部材）
７  治具
８  採取手段
９ａ  下枠（固定部材）
９ｂ  上枠
９ｃ，９ｄ  窓
１０ａ  グリップリング、外リング（保持部材）
１０ｂ  グリップリング、内リング（保持部材）
１０ｃ  グリップリング、上リング（保持部材）
１０ｄ  グリップリング、下リング（保持部材）
１１  採取針（針部材）
１２  マニピュレータ
１２ａ  アーム
１３  チューブラック
１３ａ  回収チューブ
１４ａ  外筒
１４ｂ  内筒
１５  固定部材
１６  ホルダ
１７  集合針部材
１８  平板
１９  吸引部材
２１  針
２２  漏斗状案内部材
２３  回収容器
２４  観察部
１００  細胞分取システム
【図１】
2011149009.tif 000003
【図２Ａ】
2011149009.tif 000004
【図２Ｂ】
2011149009.tif 000005
【図３Ａ】
2011149009.tif 000006
【図３Ｂ】
2011149009.tif 000007
【図４】
2011149009.tif 000008
【図５Ａ】
2011149009.tif 000009
【図５Ｂ】
2011149009.tif 000010
【図５Ｃ】
2011149009.tif 000011
【図６】
2011149009.tif 000012
【図７】
2011149009.tif 000013
【図８】
2011149009.tif 000014
【図９】
2011149009.tif 000015
【図１０】
2011149009.tif 000016
【図１１】
2011149009.tif 000017
【図１２】
2011149009.tif 000018
【図１３】
2011149009.tif 000019
【図１４】
2011149009.tif 000020
【図１５Ａ】
2011149009.tif 000021
【図１５Ｂ】
2011149009.tif 000022
【図１６】
2011149009.tif 000023
【図１７】
2011149009.tif 000024
【図１８】
2011149009.tif 000025
【図１９】
2011149009.tif 000026
【図２０Ａ】
2011149009.tif 000027
【図２０Ｂ】
2011149009.tif 000028
【図２１Ａ】
2011149009.tif 000029
【図２１Ｂ】
2011149009.tif 000030
【手続補正書】
【提出日】平成24年11月29日(2012.11.29)
【手続補正１】
【補正対象書類名】明細書
【補正対象項目名】００５７
【補正方法】変更
【補正の内容】
【００５７】
また、グリップリングとして、磁力によって互いに密着状態に維持できるものを用いてもよい。例えば、図１６に示されるように、グリップリング１０ｃ，１０ｄは、同一の径寸法を有する、磁石からなる上リング１０ｃとステンレスなどの金属からなる下リング１０ｄとからなり、上リング１０ｃと下リング１０ｄとの間に粘着シート５を伸展させた状態で挟んで両リング１０ｃ，１０ｄを互いに磁力で密着させることによっても、粘着シート５を伸展した状態に保持することができる。両方のリング１０ｃ，１０ｄが、互いに引力を発生させる磁石からなっていてもよい。
【手続補正２】
【補正対象書類名】明細書
【補正対象項目名】００５９
【補正方法】変更
【補正の内容】
【００５９】
また、粘着シート５として、紫外線が照射されることにより粘着性が失われるものを用いてもよい。
この場合、例えば、光学顕微鏡２に紫外光源を搭載する。そして、紫外光源から放射された紫外線を、対物レンズを介して採取すべき小片４ｂの位置に局所的に照射することにより、小片４ｂを容易に粘着シート５から剥離させて回収することができる。他にも、光ファイバで紫外光を導き、ファイバ端を採取すべき小片４ｂの位置に向けて局所的に照射することによっても、同様の効果を得られる。
【手続補正３】
【補正対象書類名】図面
【補正対象項目名】図６
【補正方法】変更
【補正の内容】
【図６】
2011149009.tif 000031
【国際調査報告】
2011149009.tif 000032
2011149009.tif 000033
2011149009.tif 000034
2011149009.tif 000035